(57)【要約】【課題】データ選択の間違えを無くし、比較演算を実行するときに所定の場所へデータをコピーまたは移動する負荷を無くし、検版作業の履歴情報を適正に管理する検版システムと検版方法を提供する。【解決手段】製版データにおける属性情報に対応する仕様情報を取得し、それらに基づいて検版対象とする比較基準データと比較対象データを選択する。そして、それらのデータを記憶する位置情報を内容とする検版実行指令を出力し、その位置情報に基づいて特定したデータの比較演算を行い検版結果データを出力する。また、検版結果データに関する確認結果、確認時刻、確認者名等の作業履歴データを入力保存し、必要時に表示する。【選択図】  図１
2006106153.tif 000002
【特許請求の範囲】
【請求項１】
２つの製版データを比較して検版結果データを生成する検版システムにおいて、
製版工程において生成される複数の製版データを入力する製版データ入力手段と、
前記製版データ入力手段が入力した前記製版データを記憶する製版データ記憶手段と、
前記製版データ記憶手段が記憶している前記製版データにおける属性情報に基づいて対応する仕様情報を取得する仕様情報取得手段と、
前記属性情報と前記仕様情報取得手段が取得した仕様情報を関連付けて表示する属性仕様情報表示手段と、
前記属性仕様情報表示手段が表示した前記属性情報と前記仕様情報に基づいて検版対象とする２つの製版データの各々を比較基準データと比較対象データとして選択する検版データ選択手段と、
前記検版データ選択手段が選択した前記比較基準データと前記比較対象データの前記製版データ記憶手段における位置情報を内容とする検版実行指令を出力する検版制御手段と、
前記検版制御手段が出力した位置情報に基づいて特定した前記比較基準データと前記比較対象データの比較演算を行い検版結果データを出力する比較演算手段と、
前記比較演算手段が出力する前記検版結果データを記憶する検版結果データ記憶手段と、
を具備することを特徴とする検版システム。
【請求項２】
請求項１記載の検版システムにおいて、前記検版結果データ記憶手段が記憶する前記検版結果データを表示する検版結果データ表示手段と、
前記検版結果データ表示手段が表示する前記検版結果データに関する確認結果、確認時刻、確認者名等の作業履歴データを入力する作業履歴入力手段と、
前記作業履歴入力手段が入力した前記作業履歴データを記憶する作業履歴データ記憶手段と、
前記検版結果データ記憶手段が記憶する前記検版結果データと前記作業履歴データ記憶手段が記憶する作業履歴データと前記仕様情報を関連付けて表示する作業履歴表示手段と、
を具備することを特徴とする検版システム。
【請求項３】
請求項１または２記載の検版システムにおいて、「前記製版データ入力手段、前記製版データ記憶手段、前記仕様情報取得手段、前記属性仕様情報表示手段、前記検版データ選択手段、前記検版制御手段、前記比較演算手段、前記検版結果データ記憶手段」および／または「前記検版結果データ表示手段、前記作業履歴入力手段、前記作業履歴データ記憶手段、前記作業履歴表示手段」がネットワーク上に分散配置またはそれらの複数が並列分散配置されていることを特徴とする検版システム。
【請求項４】
請求項１〜３のいずれかに記載の検版システムにおいて、前記製版工程において生成される複数の前記製版データには、印刷物、プリンタ出力物、フィルム出力物等の可視媒体を光学的方法で読取りを行いデータ化した製版データが含まれることを特徴とする検版システム。
【請求項５】
２つの製版データを比較して検版結果データを生成する検版方法において、
製版工程において生成される複数の製版データを入力する製版データ入力過程と、
前記製版データ入力過程において入力した前記製版データを記憶する製版データ記憶過程と、
前記製版データ記憶過程において記憶した前記製版データにおける属性情報に基づいて対応する仕様情報を取得する仕様情報取得過程と、
前記属性情報と前記仕様情報取得過程において取得した仕様情報を関連付けて表示する属性仕様情報表示過程と、
前記属性仕様情報表示過程において表示した前記属性情報と前記仕様情報に基づいて検版対象とする２つの製版データの各々を比較基準データと比較対象データとして選択する検版データ選択過程と、
前記検版データ選択過程において選択した前記比較基準データと前記比較対象データの前記製版データ記憶過程において記憶した位置情報を内容とする検版実行指令を出力する検版制御過程と、
前記検版制御過程において出力した位置情報に基づいて特定した前記比較基準データと前記比較対象データの比較演算を行い検版結果データを出力する比較演算過程と、
前記比較演算過程において出力した前記検版結果データを記憶する検版結果データ記憶過程と、
を有することを特徴とする検版方法。
【請求項６】
請求項５記載の検版方法において、前記検版結果データ記憶過程において記憶した前記検版結果データを表示する検版結果データ表示過程と、
前記検版結果データ表示過程において表示した前記検版結果データに関する確認結果、確認時刻、確認者名等の作業履歴データを入力する作業履歴入力過程と、
前記作業履歴入力過程において入力した前記作業履歴データを記憶する作業履歴データ記憶過程と、
前記検版結果データ記憶過程において記憶した前記検版結果データと前記作業履歴データ記憶過程において記憶した作業履歴データと前記仕様情報を関連付けて表示する作業履歴表示過程と、
を有することを特徴とする検版方法。
【発明の詳細な説明】
【技術分野】
【０００１】
本発明は印刷技術の分野に属する。特に、製版工程において生成される複数の製版データから比較基準データと比較対象データを選択して比較演算を行い、比較結果を確認可能な検版結果データとして出力する検版システムおよび検版方法に関する。
【背景技術】
【０００２】
印刷版を製作する製版工程において、データの修正や出力が適正に行われたか否かを検版するために、従来は印刷物やプリンタ出力物等の紙またはフィルムどおしを目視で比較検版する方法が行われている。また、近年は修正前後のデジタルデータを比較基準データと比較対象データとしてコンピュータに取り込み比較演算し、そのデータの差異部分を抽出して確認するコンピュータを使用する検版方法が普及している。このような検版方法の適用により、従来の目視確認方法と比較して、発見し難い微小な差異も正確に精度良く抽出することができ、また検版時間を短縮することができるようになった。
【０００３】
このような検版方法や検版装置については下記の特許文献１〜７に記載されている。
【特許文献１】特許第２８１６０９１号
【特許文献２】特許第３１１３６３３号
【特許文献３】特開平１０−１５４２３４号
【特許文献４】特開平１１−８４６２２号
【特許文献５】特開２０００−２９１９７号
【特許文献６】特開２０００−２９１９８号
【特許文献７】特開２０００−６６３６４号
【０００４】
しかしながら従来の検版装置は、比較基準データと比較対象データを選択する作業において、作業者は主にファイル名の情報に基づいて選択していた。そのため、そのデータに関する品目名称、受注先、頁番号、バージョン等の仕様情報の特定が困難であり、比較基準データと比較対象データの選択を間違えることがあった。それを回避するためにファイル名にそれらの仕様情報を挿入することの提案があるが、ファイル名を生成するための作業負荷が大きいという問題があった。
【０００５】
また、比較演算を実行するときには、従来の検版装置においては所定の場所（ホットフォルダ）へ比較基準データと比較対象データをコピーまたは移動しなければならなかった。比較基準データと比較対象データは極めて大容量のデータであるため、そのコピーまたは移動には相当の時間を必要とし、ＣＰＵ、記憶装置等の資源消費に係わる費用も大きいという問題があった。
【０００６】
また、検版の作業履歴の管理に関しては、何時、誰が、どのデータの検版を実行し、何時確認したのか、確認結果は正しかったのか、対応する検版結果データはどれなのか、等の検版作業における履歴情報の管理は適正に行われていなかった。そのため、検版工程の進捗状況を把握することができず、また印刷した後に印刷物において印刷内容が違う等の問題が発見されたときに、その検版作業を何時誰が行い、検版作業は適正であったか、等の状況を検版工程に遡って把握することが困難であった。工票等に検版作業の履歴を記録することは可能ではあるが、工票の作成、工票に記録された検版作業に対応する検版結果データを検索する作業に手間が掛かり効率が悪いという問題があった。
【発明の開示】
【発明が解決しようとする課題】
【０００７】
本発明は上記の問題を解決するために成されたものである。その目的は、比較基準データと比較対象データの選択を間違えることを無くし、比較演算を実行するときに所定の場所（ホットフォルダー）へ比較基準データと比較対象データをコピーまたは移動する負荷を無くし、検版作業における履歴情報の管理を適正に行うことができる検版システムと検版方法を提供することにある。
【課題を解決するための手段】
【０００８】
本発明の請求項１に係る検版システムは、２つの製版データを比較して検版結果データを生成する検版システムにおいて、製版工程において生成される複数の製版データを入力する製版データ入力手段と、前記製版データ入力手段が入力した前記製版データを記憶する製版データ記憶手段と、前記製版データ記憶手段が記憶している前記製版データにおける属性情報に基づいて対応する仕様情報を取得する仕様情報取得手段と、前記属性情報と前記仕様情報取得手段が取得した仕様情報を関連付けて表示する属性仕様情報表示手段と、前記属性仕様情報表示手段が表示した前記属性情報と前記仕様情報に基づいて検版対象とする２つの製版データの各々を比較基準データと比較対象データとして選択する検版データ選択手段と、前記検版データ選択手段が選択した前期比較基準データと前記比較対象データの前記製版データ記憶手段における位置情報を内容とする検版実行指令を出力する検版制御手段と、前記検版制御手段が出力した位置情報に基づいて特定した前記比較基準データと前記比較対象データの比較演算を行い検版結果データを出力する比較演算手段と、前記比較演算手段が出力する前記検版結果データを記憶する検版結果データ記憶手段と、を具備するようにしたものである。
また本発明の請求項２に係る検版システムは、請求項１に係る検版システムにおいて、前記検版結果データ記憶手段が記憶する前記検版結果データを表示する検版結果データ表示手段と、前記検版結果データ表示手段が表示する前記検版結果データに関する確認結果、確認時刻、確認者名等の作業履歴データを入力する作業履歴入力手段と、前記作業履歴入力手段が入力した前記作業履歴データを記憶する作業履歴データ記憶手段と、前記検版結果データ記憶手段が記憶する前記検版結果データと前記作業履歴データ記憶手段が記憶する作業履歴データと前記仕様情報を関連付けて表示する作業履歴表示手段と、を具備するようにしたものである。
また本発明の請求項３に係る検版システムは、請求項１または２に係る検版システムにおいて、「前記製版データ入力手段、前記製版データ記憶手段、前記仕様情報取得手段、前記属性仕様情報表示手段、前記検版データ選択手段、前記検版制御手段、前記比較演算手段、前記検版結果データ記憶手段」および／または「前記検版結果データ表示手段、前記作業履歴入力手段、前記作業履歴データ記憶手段、前記作業履歴表示手段」がネットワーク上に分散配置またはそれらの複数が並列分散配置されているようにしたものである。
また本発明の請求項４に係る検版システムは、請求項１〜３のいずれかに係る検版システムにおいて、前記製版工程において生成される複数の前記製版データには、印刷物、プリンタ出力物、フィルム出力物等の可視媒体を光学的方法で読取りを行いデータ化した製版データが含まれるようにしたものである。
また本発明の請求項５に係る検版方法は、２つの製版データを比較して検版結果データを生成する検版方法において、製版工程において生成される複数の製版データを入力する製版データ入力過程と、前記製版データ入力過程において入力した前記製版データを記憶する製版データ記憶過程と、前記製版データ記憶過程において記憶した前記製版データにおける属性情報に基づいて対応する仕様情報を取得する仕様情報取得過程と、前記属性情報と前記仕様情報取得過程において取得した仕様情報を関連付けて表示する属性仕様情報表示過程と、前記属性仕様情報表示過程において表示した前記属性情報と前記仕様情報に基づいて検版対象とする２つの製版データの各々を比較基準データと比較対象データとして選択する検版データ選択過程と、前記検版データ選択過程において選択した前記比較基準データと前記比較対象データの前記製版データ記憶過程において記憶した位置情報を内容とする検版実行指令を出力する検版制御過程と、前記検版制御過程において出力した位置情報に基づいて特定した前記比較基準データと前記比較対象データの比較演算を行い検版結果データを出力する比較演算過程と、前記比較演算過程において出力した前記検版結果データを記憶する検版結果データ記憶過程とを有するようにしたものである。
また本発明の請求項６に係る検版方法は、請求項５に係る検版方法において、前記検版結果データ記憶過程において記憶した前記検版結果データを表示する検版結果データ表示過程と、前記検版結果データ表示過程において表示した前記検版結果データに関する確認結果、確認時刻、確認者名等の作業履歴データを入力する作業履歴入力過程と、前記作業履歴入力過程において入力した前記作業履歴データを記憶する作業履歴データ記憶過程と、前記検版結果データ記憶過程において記憶した前記検版結果データと前記作業履歴データ記憶過程において記憶した作業履歴データと前記仕様情報を関連付けて表示する作業履歴表示過程とを有するようにしたものである。
【発明の効果】
【０００９】
本発明の請求項１に係る検版システムによれば、製版工程において生成される複数の製版データにおける属性情報に基づいて仕様情報取得手段により対応する仕様情報が取得され、それら属性情報と仕様情報に基づいて検版対象とする２つの製版データである比較基準データと比較対象データが検版データ選択手段により選択される。そして、それら比較基準データと比較対象データを記憶する製版データ記憶手段における位置情報を内容とする検版実行指令が検版制御手段により出力され、その位置情報に基づいて特定した比較基準データと比較対象データの比較演算が行われ検版結果データが比較演算手段により出力される。したがって、比較基準データと比較対象データの選択を間違えることを無くし、比較演算を実行するときに所定の場所（ホットフォルダー）へ比較基準データと比較対象データをコピーまたは移動する負荷を無くすことができる検版システムが提供される。
また本発明の請求項２に係る検版システムによれば、検版結果データに関する確認結果、確認時刻、確認者名等の作業履歴データが作業履歴入力手段により入力され、検版結果データとともに作業履歴表示手段により表示される。したがって、検版作業における履歴情報の管理を適正に行うことができる検版システムが提供される。
また本発明の請求項３に係る検版システムによれば、各手段がネットワーク上に分散配置またはそれらの複数が並列分散配置されている。したがって、個々のノードのコンピュータシステムにおけるデータ処理の負荷が軽減され全体として処理の高速化を達成することができる。
また本発明の請求項４に係る検版システムによれば、印刷物、プリンタ出力物、フィルム出力物等の可視媒体を比較基準データおよび／または比較対象データとして検版することができる。
また本発明の請求項５に係る検版方法によれば、製版工程において生成される複数の製版データにおける属性情報に基づいて仕様情報取得過程において対応する仕様情報が取得され、それら属性情報と仕様情報に基づいて検版対象とする２つの製版データである比較基準データと比較対象データが検版データ選択過程において選択される。そして、それら比較基準データと比較対象データを記憶する製版データ記憶過程において位置情報を内容とする検版実行指令が検版制御過程において出力され、その位置情報に基づいて特定した比較基準データと比較対象データの比較演算が行われ検版結果データが比較演算過程においてり出力される。したがって、比較基準データと比較対象データの選択を間違えることを無くし、比較演算を実行するときに所定の場所（ホットフォルダー）へ比較基準データと比較対象データをコピーまたは移動する負荷を無くすことができる検版方法が提供される。
また本発明の請求項２に係る検版システムによれば、検版結果データに関する確認結果、確認時刻、確認者名等の作業履歴データが作業履歴入力過程において入力され、検版結果データとともに作業履歴表示過程において表示される。したがって、検版作業における履歴情報の管理を適正に行うことができる検版方法が提供される。
【発明を実施するための最良の形態】
【００１０】
次に、本発明の実施の形態について図を参照しながら説明する。図１は本発明の検版システムにおける構成の一例を示す図である。図１において、１００は本発明の検版システム、そして検版システム１００に外部接続される装置として、２００は製品仕様情報記録装置、３００はイメージデータ生成装置、４００は出力装置である。また検版システム１００において、１０ａ，１０ｂはクライアントコンピュータ装置、２０はサーバーコンピュータ装置、３０はデータベース装置、４０は制御演算装置である。またクライアントコンピュータ装置１０ａ，１０ｂにおいて、１１ａ，１１ｂはデータ表示手段、１２ａ，１２ｂはデータ選択手段、１３ａ，１３ｂは情報表示手段、１４ａ，１４ｂは作業履歴表示手段、１５ａ，１５ｂは作業履歴入力手段である。またサーバーコンピュータ装置２０において、２１はデータ入力手段、２２はデータ記憶手段、２３は検版結果データ記憶手段である。またデータベース装置３０において、３１は情報取得手段、３２は作業履歴記憶手段である。また制御演算装置４０において、４１は制御手段、４２は演算手段である。
【００１１】
図１に示す一例においては、本発明の検版システム１００は複数の装置によって構成され、それらと外部の装置とがハブ（ＨＵＢ）を経由するネットワークによって相互に接続されている。そしてその装置の中でクライアントコンピュータ装置１０ａ，１０ｂは同様の機能を有する２つの装置である。すなわち、検版システム１００を構成する各手段がネットワーク上に分散配置またはそれらの複数が並列分散配置されている。したがって、個々のノードの装置（コンピュータシステム）におけるデータ処理の負荷が軽減され全体として処理の高速化を達成することができる。勿論、本発明においては、並列する数、分散のやり方は図１に示す一例に限定されない。
【００１２】
クライアントコンピュータ装置１０ａ，１０ｂは検版システム１００において作業者が検版に係わる作業を実行するときのインタフェースを提供する装置である。データ表示手段１１ａ，１１ｂはサーバコンピュータ装置２０のデータ記憶手段２２が記憶している製版データ等のデータを表示する。またデータ選択手段１２ａ，１２ｂは、検版対象とする２つの製版データの各々を比較基準データと比較対象データとして選択する（検版データ選択手段）。これら比較基準データと比較対象データを選択するときに、情報表示手段１３ａ，１３ｂは属性情報と仕様情報とを関連付けて表示する（属性仕様情報表示手段）。属性情報はサーバコンピュータ装置２０のデータ記憶手段２２が記憶している製版データにおける属性情報である。また仕様情報はデータベース装置３０の情報取得手段３１がその属性情報に基づいて対応する仕様情報を製品仕様情報記録装置２００から取得することにより得られた仕様情報である。
【００１３】
クライアントコンピュータ装置１０ａ，１０ｂにおいて、関連付けて表示された属性情報と仕様情報を含む表示画面の一例を図２に示す。図２に示すように、表として表示が行われる。表示画面のその表にはデータ情報、データ、選択の大項目が横欄の項目として存在する。データ情報は品目名、受注先名、受注番号、頁番号の項目を有する。データ情報はデータのバージョンの項目を有する。選択は基準データ、比較データの項目を有する。それら横欄の項目に対する縦欄の１つ目は比較基準データであり、２つ目は比較対象データである。
【００１４】
この図２に示す表の選択の項目において、基準データの選択ボタン（矩形）の１つが選択されている（矩形の内部が黒く塗りつぶされ選択状態となている）。これは品目名「東京カタログ」、受注先名「○○百貨店」、受注番号「３４５」、頁番号「２」、バージョン「最新」によって特定される製版データが比較基準データとして作業者によって選択されていることを示す。
また同様に、この図２に示す表の選択の項目において、比較データの選択ボタン（矩形）の１つが選択されている（矩形の内部が黒く塗りつぶされている）。これは品目名「大阪カタログ」、受注先名「○○百貨店」、受注番号「３４６」、頁番号「２」、バージョン「最新」によって特定される製版データが比較対象データとして作業者によって選択されていることを示す。
【００１５】
このように、クライアントコンピュータ装置１０ａ，１０ｂにおいて、作業者は関連付けて表示された属性情報と仕様情報を参照し、検版対象とする２つの製版データの各々に間違いがないか否かを確認して選択することができる。したがって、比較基準データと比較対象データの選択を間違えることを無くすことができる。
【００１６】
上述のようにして選択された比較基準データと比較対象データに対して検版を実行する（後述する）と、生成された検版結果データがサーバコンピュータ装置２０の検版結果データ記憶手段２３に記憶される。検版結果データ記憶手段２３が記憶する検版結果データはデータ表示手段１１ａ，１１ｂにより表示することができる。また、その検版が実行された後に、クライアントコンピュータ装置１０ａ，１０ｂにおいて、作業者は作業履歴データを入力して保存しておくことができる（後述する）。その作業履歴データはデータベース装置３０の作業履歴記憶手段３２に記憶され保存される。作業履歴表示手段１４ａ，１４ｂは、検版結果データ記憶手段２３が記憶する検版結果データと作業履歴記憶手段３２が記憶する作業履歴データと仕様情報を関連付けて表示する。
【００１７】
クライアントコンピュータ装置１０ａ，１０ｂにおいて、関連付けて表示された検版結果データと作業履歴データを含む表示画面の一例を図３に示す。図３に示すように、表として表示が行われる。表示画面のその表には検版実施番号、品名、受注番号、頁番号、比較基準データと比較対象データバージョン、検版作業者名、検版実施日時、検版結果確認日時、評価結果、結果画像へのリンクの項目が横欄の項目として存在する。それら横欄の項目に対する縦欄は検版実施番号によって大区分され、その検版実施番号の大区分の中がさらに２つに小区分され、その小区分の１つ目は比較基準データであり、２つ目は比較対象データである。
【００１８】
たとえば、検版実施番号「１０」の内容は、比較基準データのバージョンが「最新」、比較対象データのバージョンが「前回」であることを除いて、縦欄の小区分に関係しない内容となっている。すなわち、品名「○○チラシ」、受注番号「１２３」、頁番号「1」、検版作業者名「大日本太郎」、検版実施日時「０４／０３／０１  １３：２０」、検版結果確認日時「０４／０３／０１  １３：２５」、評価結果「○」、結果画像へのリンク「■」となっている。
【００１９】
クライアントコンピュータ装置１０ａ，１０ｂにおいて、作業者は、作業履歴データを入力して保存する。作業履歴データの中で日時、等のシステムで自動入力可能なデータに関しては作業者が入力するのではなくシステムが自動入力するようにしてもよい。作業履歴入力手段１５ａ，１５ｂは検版結果データに関する確認結果、確認時刻、確認者名等の作業履歴データを入力する。この入力のときに、データ表示手段１１ａ，１１ｂが表示する表示画面の一例を図４に示す。図４に示すように、表として表示が行われる。表示画面のその表には検版結果データを表示する領域が中央に設けられている。また、その領域を取り囲むように、品名、受注番号、頁番号、バージョンから成る横欄の項目と、比較基準データ、比較対象データから成る縦欄の項目がある。また、検版作業者名、検版作業実施日時、検版作業確認日時、コメントの項目がある。そして、表における下方の欄には評価結果の項目がある。評価結果の項目にはＯＫの選択ボタン（矩形）とＮＧの選択ボタン（矩形）があり、いずれか一方を選択するようになっている。また、終了の選択ボタン（矩形）がある。
【００２０】
たとえば、比較基準データの内容は品名「東京カタログ」、受注番号「２３５６７」、頁番号「２」、バージョン「最新」であり、比較対象データの内容は品名「東京カタログ」、受注番号「１２３４５」、頁番号「２」、バージョン「最新」である。また、検版作業者名「大日本太郎」、検版作業実施日時「２００４／３／１１  １２：４０」、検版作業確認日時「２００４／３／１１  １２：５０」、コメント「良好」である。そして、評価結果はＯＫの選択ボタン（矩形）が選択されている（矩形の内部が黒く塗りつぶされている）。また、終了のボタン（矩形）は押すと終了するボタンである。
【００２１】
サーバコンピュータ装置２０は検版の対象として選択された比較基準データ、比較対象データ、等の製版データと検版の結果である検版結果データを保存しクライアントコンピュータ装置１０ａ，１０ｂ、制御演算装置４０、等に提供するサーバである。また、サーバコンピュータ装置２０において、データ入力手段２１は製版工程において生成される複数の製版データを入力する。データ記憶手段２２はデータ入力手段２１が入力した製版データを記憶し保存する。結果データ記憶手段２３は検版を実行することによって生成された検版結果データを記憶する。
【００２２】
データベース装置３０は製版工程における生産管理情報、製版データにかかわる属性情報、仕様情報、作業履歴データ、等をデータベースに登録する。また、クライアントコンピュータ装置１０ａ，１０ｂ等からの要求とその登録されたデータに基づいて所定の形式の表（リレーション）を生成する。たとえば、前述の属性情報と仕様情報を関連付けた図２に示す表、前述の検版結果データと作業履歴データを関連付けて図３に示す表、作業履歴データを入力するための図４に示す表、等を生成する。それらの生成された表はクライアントコンピュータ装置１０ａ，１０ｂにおいて表示が行われる。
【００２３】
データベース装置３０において、情報取得手段３１は製品仕様情報記録装置２００において記録された仕様情報を入力しデータベースに登録する。作業履歴記憶手段３２は、クライアントコンピュータ装置１０ａ，１０ｂにおいて生成された作業履歴データを入力しデータベースに登録する（作業履歴データ記憶手段）。
【００２４】
制御演算装置４０は検版に係わる処理を検版システム１００が実行するときにシステム全体を統括制御するとともに検版における比較演算処理を実行する。制御演算装置４０において、制御手段４１は検版を実行する２つの製版データの位置情報をクライアントコンピュータ装置１０ａ，１０ｂから入力し、その位置情報を演算手段４２に出力する（検版制御手段）。この２つの製版データは、前述のデータ選択手段１２ａ，１２ｂにおいて検版対象として選択された２つの製版データである。すなわち比較基準データと比較対象データである。
【００２５】
比較基準データと比較対象データの位置情報の一例を図５に示す。図５において、「比較基準データ：C:\Data\123456_0001_01.tif」は比較基準データが記憶領域「C:」の下に存在するホルダー「Data」の下に存在するファイル「123456_0001_01.tif」であることを示している。同様に、「比較対象データ：C:\Data\123456_0001_02.tif」は比較対象データが記憶領域「C:」の下に存在するホルダー「Data」の下に存在するファイル「123456_0001_02.tif」であることを示している。
また図５において、「検版結果データ：C:\RRSULT\123456_0001_01_02_DIFF.tif」は検版結果データを記憶領域「C:」の下に存在するホルダー「RESULT」の下にファイル「123456_0001_01_02_DIFF.tif」として保存することを示している。
【００２６】
制御演算装置４０において、演算手段４２は比較基準データと比較対象データの比較演算を実行する（比較演算手段）。比較基準データと比較対象データは画像データであるから、演算手段４２が行う比較演算は、比較基準データの特定の画素に対応する比較対象データの画素についてそれら２つの画素の画素値の差の演算である。演算手段４２は、その演算をすべての画素について行うことで検版結果データを得る。
【００２７】
このとき演算手段４２は比較基準データと比較対象データのファイルの位置情報に基づいて、その位置に比較基準データと比較対象データのファイルを置いたままデータをメインメモリに読み込み演算を行う。図１に示す一例においては製版データはサーバコンピュータ装置２０の記憶装置（ハードディスク）に存在する。演算手段４２はサーバコンピュータ装置２０の記憶装置から比較基準データと比較対象データをネットワーク経由で取得しメインメモリに読み込み演算を行う。
【００２８】
このように比較基準データと比較対象データを記憶するサーバコンピュータ装置２０の記憶装置における位置情報を内容とする検版実行指令が制御手段４１により出力され、演算手段４２はその位置情報に基づいて特定した比較基準データと比較対象データの比較演算を行い、その演算により生成された検版結果データを出力する。そして、その検版結果データは、サーバコンピュータ装置２０がネットワーク経由で取得しその記憶装置に記憶する。したがって、比較演算を実行するときに所定の場所（ホットフォルダー）へ比較基準データと比較対象データを記憶装置にファイルとしてコピーまたは移動する負荷を無くすことができる。
【００２９】
製品仕様情報記録装置２００は生産仕様データベースなどの仕様情報（製品仕様情報）を記録する装置である。製品仕様情報記録装置２００において記録された仕様情報はデータベース装置３０によってデータベースに登録される。データベースに登録された仕様情報は、クライアントコンピュータ装置１０ａ，１０ｂにおいて、検版対象とする２つの製版データの各々を比較基準データと比較対象データとして選択するときに、情報表示手段１３ａ，１３ｂにより属性情報と関連付けて表示される。
【００３０】
イメージデータ生成装置３００は、たとえば、ＲＩＰ（ラスターイメージプロセッサー：Raster Image Processor）である。検版システムにおいて処理される比較基準データ、比較対象データ、検版結果データ、等のラスタージメージデータを生成する。
出力装置４００は、たとえば、プリンタ、イメージセッタ（image setter）、ＤＤＣＰ（校正紙を出力する装置：Direct Digital Color Proofer）等の出力装置である。イメージデータ生成装置３００において生成した比較基準データ、比較対象データ、検版結果データ、等のラスタージメージデータをハードコピーとして出力する。
【００３１】
以上の構成において、次に、本発明の検版システムにおける動作について図を参照して説明する。本発明の検版システムにおける検版処理の過程の一例をフローチャートとして図６に示す。
まず、図６のステップＳ１（製版データ入力）において、作業者の指示入力によりクライアントコンピュータ装置１０ａ，１０ｂは製版データを入力する。製版工程において生成される複数の製版データはサーバコンピュータ装置２０に記憶し保存されている、製版データはそこからネットワークを介して提供される。
【００３２】
次に、ステップＳ２（仕様情報取得）において、作業者の指示入力によりクライアントコンピュータ装置１０ａ，１０ｂはその製版データにおける属性情報に基づいて対応する仕様情報を取得する。仕様情報は製品仕様情報記録装置２００において記録され、データベース装置３０によってデータベースに登録されている。
次に、ステップＳ３（属性仕様情報表示）において、作業者の指示入力によりクライアントコンピュータ装置１０ａ，１０ｂの情報表示手段１３ａ，１３ｂは属性情報と仕様情報を関連付けて表示する。このときの表示の一例を図２に示す。このように表示することにより比較基準データと比較対象データの選択を作業者が間違えることがない。
【００３３】
次に、ステップＳ４（検版データ選択）において、表示された属性情報と仕様情報に基づく作業者の指示入力によりクライアントコンピュータ装置１０ａ，１０ｂのデータ選択手段１２ａ，１２ｂは検版対象とする２つの製版データの各々を比較基準データと比較対象データとして選択する。たとえば、図２において選択項目の下の基準データ項目と比較データ項目において対応する選択ボタンを選択状態（■）とする。
次に、ステップＳ５（検版実行指令）において、作業者の指示入力により制御演算装置４０の制御手段４１は選択した比較基準データと比較対象データのサーバコンピュータ装置２０のデータ記憶手段２２における位置情報を内容とする検版実行指令を出力する。このときの検版実行指令における位置情報の一例を図５に示す。
【００３４】
次に、ステップＳ６（比較演算）において、制御演算装置４０の演算手段４２は制御手段４１が出力した位置情報に基づいて特定した比較基準データと比較対象データの比較演算を行い検版結果データを出力する。このとき演算手段４２は比較基準データと比較対象データのファイルの位置情報に基づいて、その位置に比較基準データと比較対象データのファイルを置いたままデータをメインメモリに読み込み演算を行う。したがって、特定の場所へ比較基準データと比較対象データをコピーまたは移動する負荷を無くすことができる。
次に、ステップＳ７（検版結果データ記憶）において、サーバコンピュータ装置２０の検版結果データ記憶手段２３は演算手段４２が出力する検版結果データを記憶する。
【００３５】
次に、ステップＳ８（検版結果データ表示）において、クライアントコンピュータ装置１０ａ，１０ｂは検版結果データ記憶手段２３が記憶する検版結果データを表示する。このときの表示の一例を図４に示す。表示された表の中央の領域に検版結果データが表示されている。
次に、ステップＳ９（作業履歴データ入力）において、作業者の指示入力によりクライアントコンピュータ装置１０ａ，１０ｂの作業履歴入力手段１５ａ，１５ｂは検版結果データに関する確認結果、確認時刻、確認者名等の作業履歴データを入力する。たとえば、図４においては、検版作業者名、検版作業実施日時、検版作業確認日時、コメント、結果評価を記入する形式の表となっている。
【００３６】
次に、ステップＳ１０（作業履歴データ記憶）において、データベース装置３０の作業履歴記憶手段３２は作業履歴入力手段１５ａ，１５ｂが入力した作業履歴データを記憶する。
次に、ステップＳ１１（作業履歴表示）において、クライアントコンピュータ装置１０ａ，１０ｂの作業履歴表示手段１４ａ，１４ｂは検版結果データ記憶手段２３が記憶する検版結果データと作業履歴データ記憶手段３２が記憶する作業履歴データとデータベース装置３０が記憶する仕様情報を関連付けて表示する。このときの表示の一例を図３に示す。このような履歴情報の入力、記憶、表示により、検版作業における履歴情報の管理を適正に行うことができる。
【図面の簡単な説明】
【００３７】
【図１】本発明の検版システムにおける構成の一例を示す図である。
【図２】クライアントコンピュータ装置において、関連付けて表示された属性情報と仕様情報を含む表示画面の一例を示す図である。
【図３】クライアントコンピュータ装置において、関連付けて表示された検版結果データと作業履歴データを含む表示画面の一例を示す図である。
【図４】作業履歴入力手段が検版結果データに関する確認結果、確認時刻、確認者名等の作業履歴データを入力するときに、データ表示手段が表示する表示画面の一例を示す図である。
【図５】比較基準データと比較対象データの位置情報の一例を示す図である。
【図６】本発明の検版システムにおける検版処理の過程の一例をフローチャートとして示す図である。
【符号の説明】
【００３８】
１００  本発明の検版システム
１０ａ，１０ｂ  クライアントコンピュータ装置
１１ａ，１１ｂ  データ表示手段
１２ａ，１２ｂ  データ選択手段
１３ａ，１３ｂ  情報表示手段
１４ａ，１４ｂ  作業履歴表示手段
１５ａ，１５ｂ  作業履歴入力手段
２０  サーバーコンピュータ装置
２１  データ入力手段
２２  データ記憶手段
２３  検版結果データ記憶手段
３０  データベース装置
３１  情報取得手段
３２  作業履歴記憶手段
４０  制御演算装置
４１  制御手段
４２  演算手段
２００  製品仕様情報記録装置
３００  イメージデータ生成装置
４００  出力装置
【図１】
2006106153.tif 000003
【図２】
2006106153.tif 000004
【図３】
2006106153.tif 000005
【図４】
2006106153.tif 000006
【図５】
2006106153.tif 000007
【図６】
2006106153.tif 000008